(57)【要約】【課題】教育現場の存在する地域・学校名、学年、教科のみを入力することで、当該学年において使用している教科書に準拠した単元と、当該単元に関連する事項が記載された書籍等のメディアを自動的に検索する検索システムを得ることを課題とする。【解決手段】地域・学校名、学年、教科の全部または一部の指示により、年度及び地域と学校名と教科に対応する教科書準拠を登録した採択情報テーブルを参照して相当する教科書準拠を抽出し、該抽出結果と教科書毎の単元名を登録した単元テーブルを参照して単元名を抽出し表示し、単元名の指示により単元名と参考図書名を登録した書籍情報テーブルを参照して当該単元に関係する参考図書情報を出力する。【選択図】図１４
2005062987.tif 000002
【特許請求の範囲】
【請求項１】
教科書の単元に基づき関連情報を検索するシステムであって、地域・学校名、学年、教科の全部または一部の指示により、年度及び地域または学校名と教科に対応する教科書準拠を登録した採択情報テーブルを参照して相当する教科書準拠を抽出する手段と、該抽出結果と教科書毎の単元名を登録した単元テーブルを参照して単元名を抽出し表示する手段と、単元名の指示により単元名と参考書籍名を登録した書籍情報テーブルを参照して当該単元に関係する参考書籍情報を出力する検索システム。
【請求項２】
リンク集テーブルを参照して当該単元に関係する参考リンク情報を出力する請求項１記載の検索システム。
【請求項３】
単元名とキーワードを対応させたキーワードテーブルを有し、キーワードテーブルに登録されたキーワードに基づき、書籍データベースを検索して定期的に書籍情報テーブルを更新する請求項１記載の検索システム。
【請求項４】
検索された書籍データの有効度の評価を入力する手段を有し、該入力されたデータを集計して当該書籍データの有効性を出力する請求項１記載の検索システム。
【発明の詳細な説明】
【技術分野】
【０００１】
本発明は、小学校、中学校等の教育機関において、採用している教科書の単元に関連した児童、生徒の学習用の書籍等のメディアを、教師・児童・生徒が簡易な操作で検索するためのシステムに関する。
【発明の開示】
【発明が解決しようとする課題】
【０００２】
教育現場において、児童、生徒の学習のために使用する教科書は、学習指導要領の内容に従って編集されているため、基本的な知識を習得するためには便利であるが、当該教科書に記載されている内容をより深く掘り下げ、若しくはそれに関連する事項についての知識を得るためには、これらに関連する情報が記載された書籍等を参照することが必要である。しかしながら、教育現場で必要とする事項を記載した書籍等のメディアが存在するかどうか、またどのような書籍に当該必要とする事項が記載されているかについて知ることは容易ではない。教育現場の属する地域や公立学校、私立学校等の差異によって、用いる教科書はそれぞれ異なり、各教科書の単元によって取り扱う学習内容も異なるため、それらの参考書籍を探すためには、学校の図書室等で必要な事項が含まれると推定される書籍を司書に聞くか、実際に自分自身で探すか、若しくはインターネット上でいくつものキーワード検索を試みることによって参考書籍を探し、その参考書籍を書店で購入し若しくは図書館等で探して必要な事項が記載されているかどうかを確認しなければならないからである。
本発明は、教育現場の存在する地域・学校名、学年、教科の全部または一部を指示することで、当該学年において使用している教科書に準拠した単元を表示し、その単元を選択することにより、当該単元に関連する事項が記載された書籍等のメディアを自動的に検索するシステムを得ることを課題とする。
【課題を解決するための手段】
【０００３】
本発明によれば、上述の課題は前記特許請求の範囲に記載した手段により達成される。すなわち、本発明は、教科書の単元に基づき関連情報を検索するシステムであって、地域・学校名、学年、教科の全部または一部の指示により、年度及び地域または学校名と教科に対応する教科書準拠を登録した採択情報テーブルを参照して相当する教科書準拠を抽出する手段と、該抽出結果と教科書毎の単元名を登録した単元テーブルを参照して単元名を抽出し表示する手段と、単元名の指示により単元名と参考書籍名を登録した書籍情報テーブルを参照して当該単元に関係する参考書籍情報および参考リンク情報を出力する検索システム、並びに単元名とキーワードを対応させたキーワードテーブルを有し、キーワードテーブルに登録されたキーワードに基づき、書籍データベースを検索して定期的に書籍情報テーブルを更新するもの、検索された書籍データの有効度の評価を入力する手段を有し、該入力されたデータを集計して当該書籍データの有効性を出力するもの、等を含む。
【発明の効果】
【０００４】
本発明によれば、教育現場で使用する教科書に基づき、教師・児童・生徒が単元に関連する書籍等のメディアを、極めて簡易な操作によって容易に検索することができる。
【発明を実施するための最良の形態】
【０００５】
本発明の実施態様における検索システムでは、教育現場や家庭等に置かれたクライアント側端末から、情報提供者である図書教材会社等に置かれたサーバシステムにアクセスすることで必要な情報が得られるように構成されている。本発明では、教科書の単元に基づいて当該単元に関係する書籍等を検索するので、クライアント側が求める情報に関して当該クライアントがどのような教科書に準拠しているかを年度及び地域または学校名と教科等に基づき判定し対応する教科書準拠を抽出して特定する。次いで抽出された教科書の学年および教科に基づき単元名を抽出し表示する。クライアントが必要な単元名を画面上で選択する等の方法で指示すると、当該単元名に関連する参考書籍名等が記載された参考書籍情報や参考リンク情報をクライアント側端末に出力する。
【実施例１】
【０００６】
図１４に本発明の検索システムの全体の構成例を示す。この実施例では、クライアント側端末１からインターネットを経て情報提供側のサーバシステム２にアクセスすると、端末側ディスプレイに図１に示す日本地図が表示される。クライアントが自分の属する県名を選択すると、サーバシステム２の処理装置３は採択情報テーブル４を参照して図２に示すような地域・学校名、学年、教科の選択画面を表示させる。クライアントがこれらを選択すると、処理装置３は、採択情報テーブル４、コードテーブル５、準拠情報テーブル６、をそれぞれ参照して当該学校名と学年、教科において使用されている教科書準拠を導き出す。採択情報テーブル４は図３に示すような構造であり、年度、県コード、市郡コードと、当該学校が使用している教科毎の教科書準拠を示す準拠コードが対比されたテーブルを形成している。コードテーブル５は、教科名とその教科に相当するコード等を対比したテーブルであり、準拠情報テーブル６は、教科書の準拠名称とそのコードを対応させたテーブルである。クライアントが図２の画面において地域・学校名、学年、教科を選択し、「単元を探す」ボタンをクリックすると、処理装置３はこのようにして導き出された必要な年度の必要な教科の教科書準拠における単元の一覧を単元テーブル７を参照してクライアント側のディスプレイに表示する。単元テーブル７は図４に示すような構造であり、どの教科書会社の教科書準拠であるかを示す準拠コード、理科であれば４０、社会であれば２０、等、教科を示す教科コード、学年、教科書の上下巻の種類、学習する予定の月と、当該教科書の単元名とその単元名に対応する単元コード等を対応させたテーブルとなっている。
【０００７】
このようにして検索し表示された単元の一覧の例を図５に示す。図５は特定の地域の公立小学校における５学年の社会の単元を示しており、クライアントが表示された単元のうちのどの単元に関する情報を知りたいかを選択できるように表示される。クライアントが特定の単元を画面上で選択すると、処理装置３は選択された単元の単元コードから、書籍情報テーブル８を参照して当該単元コードに対応する書籍名称等のデータを検索し、検索された関連書籍等をクライアント側のディスプレイに表示する。サーバシステム２には、キーワードテーブル９があり、当該テーブルに登録されたキーワードデータを基準として、日書連書誌データベース等の書籍データベースのキーワードと比較することにより、書籍情報テーブル８を定期的に自動更新するようになっている。従って、書籍情報テーブル８のデータは常に新しい情報が記録されている。書籍情報テーブル８の構造の例を図６に示す。図６に示すように、書籍情報テーブル８は特定の単元を示す単元コード、これに関連する内容が記載されている書籍名、著者、発刊日、出版社名等を対応させたテーブルであり、教科書の単元名から当該単元に関連する書籍名を容易に検索できるように構成されている。このようにして検索された書籍の一覧の表示例を図７に示す。この表示例では、書籍名、著者、発刊日、出版社名のほか、ランキング欄と関連サイト検索欄が設けられている。
【０００８】
キーワードテーブルの例を図８に示す。この例に示すように、特定の単元に関連するキーワードが複数設けられ、該複数のキーワードによって関連する書籍データベースを検索し、書籍情報テーブルを更新する。
【０００９】
書籍の詳細情報では物足りないと判断したクライアントが、当該書籍ごとにある関連サイト検索ボタン「もっと探す」をクリックすると、サーバは当該書籍の書籍名を検索キーワードにしてYahoo!等の関連サイトを検索し、関連する事項を自動検索して検索結果を表示する。
【００１０】
図７のランキングの欄は、クライアントが検索をした結果表示された書籍の評価をフィードバックして表示する人気度の欄であり、このフィードバックは、図９のように当該クライアントが過去に検索した書籍の一覧の中からアンケートに答える書籍をクリックすることで表示される図１０に示す評価入力画面によって行われる。該書籍が当該クライアントにとって役に立ったかどうかを評価して貰い、どちらかの評価ボタンをクリックすると、当該情報が集計されて演算され、書籍情報テーブルのランキングの欄に「役に立った」の評価をクリックした件数が記録される。図７のランキングの値は、このような評価のカウント数を降順に並べるようにしてあり、前回のランキングとの比較を「↑・→・↓」の３種類の矢印で表示する。また、クライアントが勧める関連書籍があるときには、その旨評価入力画面に入力すると、書籍情報テーブルにその情報が追加される。さらに、図１１に示すような単元に関連するリンク情報を登録したリンク集テーブル１０があり、クライアントが特定の単元を選択したときに、図７に示すように、書籍名とともに当該単元に関連するリンクを表示する。
【００１１】
図１２は、各データファイルと検索の手順を示す説明図である。この例では、地域データにより特定の地域・学校名を導き、採択情報テーブルを参照して必要な学校における教科毎の教科書の準拠コードを導き出す。次いで導き出された準拠コードと選択された教科名とに基づき、単元テーブルを参照して該当する単元コードと、表示のために必要な単元名を導く。次いで特定の単元が選択されると、書籍情報テーブルを参照して当該単元コードに関連づけられた書籍データを導くものである。
【００１２】
上記の例では、クライアントが地域または学校名等を入力して当該地域・学校において採用されている教科書準拠を特定しているが、これに代えて教科書会社名、学年、教科をクライアントが入力するか、若しくは教科書名を直接入力する方法によって単元の一覧を表示することも可能である。図１３は、このような異なった単元の選択手段をクライアントが自由に選ぶ場合の操作の流れを示す図である。
【図面の簡単な説明】
【００１３】
【図１】端末側ディスプレイに表示される日本地図の画面を示す図
【図２】端末側ディスプレイに表示される地域・学校名、学年、教科の選択画面を示す図
【図３】採択情報テーブルのデータ構造例を示す図
【図４】単元テーブルのデータ構造例を示す図
【図５】端末側ディスプレイに表示された単元の一覧の画面例を示す図
【図６】書籍情報テーブルの例を示す図
【図７】検索された書籍およびリンクの一覧の画面例を示す図
【図８】キーワードテーブルの例を示す図
【図９】これまでに検索した書籍の一覧表を表示する画面例を示す図
【図１０】評価入力画面の例を示す図
【図１１】リンク集テーブルの例を示す図
【図１２】単元と書籍の関連図
【図１３】クライアント側の操作の手順を示す流れ図
【図１４】本発明の実施例のシステムを示す図
【符号の説明】
【００１４】
１  クライアント側端末
２  情報提供側サーバシステム
３  処理装置
４  採択情報テーブル
５  コードテーブル
６  準拠情報テーブル
７  単元テーブル
８  書籍情報テーブル
９  キーワードテーブル
１０  リンク集テーブル
【図１】
2005062987.tif 000003
【図２】
2005062987.tif 000004
【図３】
2005062987.tif 000005
【図４】
2005062987.tif 000006
【図５】
2005062987.tif 000007
【図６】
2005062987.tif 000008
【図７】
2005062987.tif 000009
【図８】
2005062987.tif 000010
【図９】
2005062987.tif 000011
【図１０】
2005062987.tif 000012
【図１１】
2005062987.tif 000013
【図１２】
2005062987.tif 000014
【図１３】
2005062987.tif 000015
【図１４】
2005062987.tif 000016